(57)【要約】【課題】あらわし梁を使用した床構造において、床レベルの上昇を招くことなく遮音性能を効果的に高め、また施工性の向上も図る。【解決手段】この遮音床構造は、互いに略平行に配設されて下階空間３０に張り出した複数のあらわし梁１・・の側面６・・間に、複数の根太４・・を落とし込むように差し渡して、それら根太４・・上に床下地材３・・を取り付けてなり、前記あらわし梁１・・の側面６・・に前記根太４・・の端部を支持する支持部材１０・・を設けて、その支持部材１０・・と前記根太４・・の端部との間に防振材５・・を介在させるとともに、前記根太４・・及び床下地材３・・を、前記あらわし梁１・・に対して振動遮断用の隙間２０・・をあけて非接触状態としている。【選択図】図２
2007186850.tif 000002
【特許請求の範囲】
【請求項１】
互いに略平行に配設されて下階空間（３０）に張り出した複数のあらわし梁（１）・・の側面（６）・・間に、複数の根太（４）・・を落とし込むように差し渡して、それら根太（４）・・上に床下地材（３）・・を取り付けてなる床構造において、前記あらわし梁（１）・・の側面（６）・・に前記根太（４）・・の端部を支持する支持部材（１０）・・を設けて、その支持部材（１０）・・と前記根太（４）・・の端部との間に防振材（５）・・を介在させるとともに、前記根太（４）・・及び床下地材（３）・・を、前記あらわし梁（１）・・に対して振動遮断用の隙間（２０）・・をあけて非接触状態としたことを特徴とする建物の遮音床構造。
【請求項２】
前記支持部材（１０）は、前記根太（４）の端部を左右両側から挟み込んで水平方向への動きを拘束する一対の拘束片（１２）（１２）を備えている請求項１記載の建物の遮音床構造。
【請求項３】
前記支持部材（１０）は、前記根太（４）の端部を載せる受け片（１１）と、その受け片（１１）から立ち上がって、前記根太（４）の端部を左右両側から挟み込んで水平方向への動きを拘束する一対の拘束片（１２）（１２）とを備え、前記受け片（１１）と前記根太（４）の端部下面との間に防振材（５）を介在させた請求項１記載の建物の遮音床構造。
【請求項４】
前記根太（４）・・と前記床下地材（３）とを予め一体化してなる床パネル（２）を用いて、その床パネル（２）の根太（４）・・を、前記あらわし梁（１）・・の側面（６）・・間に落とし込むように差し渡した請求項１乃至３のいずれかに記載の建物の遮音床構造。
【請求項５】
前記床パネル（２）における根太（４）・・の端部下面に、前記防振材（５）を予め一体に取り付けるようにした請求項４記載の建物の遮音床構造。
【請求項６】
前記あらわし梁（１）・・の側面（６）・・間に、前記支持部材（１０）・・よりも下方において天井板（２４）を差し渡した請求項１乃至５のいずれかに記載の建物の遮音床構造。
【発明の詳細な説明】
【技術分野】
【０００１】
この発明は、戸建て住宅等の建物における遮音床構造に関する。
【背景技術】
【０００２】
従来より、戸建て住宅において、上階の床梁下部をリビング等の下階空間に張り出させて露出させるとともに、この上階の床梁に天井板を直付けして下階空間の天井面を上げることで、下階空間に広がりを持たせるとともに、下階空間のインテリア性を高めるようにした床構造が知られている。
【０００３】
ところが、このような床構造においては、上階の床梁いわゆるあらわし梁が下階空間に露出しているので、例えば上階で子供が飛び跳ねたとき等に発生する床衝撃音を伴う振動が、床板からあらわし梁を介して天井板に伝搬して、天井板から下階空間へ床衝撃音が放射されるだけでなく、あらわし梁から下階空間へ直接床衝撃音が放射されることになる。
【０００４】
従って、上階の床梁に対して天井板を吊り下げ支持して、下階空間から上階の床梁が見えない通常の床構造と比べて、床板と天井板との間の振動伝搬経路を絶縁することが困難で、遮音性能が低下することが確認されている。
【０００５】
一般に、床の遮音性能を向上させるために、床板や天井板の重量を重くするといった対策が採られている。しかしながら、床板や天井板の重量を大きくする場合には、床板や天井板を支えるための構造体の設計変更が必要とされ、特に木造住宅や軽量鉄骨造住宅においては、構造耐力の観点から床板や天井板の重量をむやみに増やすことができない。
【０００６】
また、床上に二重床を設けて遮音性能を向上するといった方法もあるが、この場合、床レベルが上昇して室内空間を狭めてしまうことになり、一般的な戸建て住宅に適用することは困難である。
【０００７】
そこで、例えば特許文献１に開示されているように、互いに略平行に配設した床梁の側面間に床パネルを落とし込むように差し渡して、梁の側面に設けた支持部材によって床パネルを支持するとともに、床パネルの補強枠と支持部材との間、及び、床パネルの床下地材と床梁との間に防振ゴムを介在させて、床パネルの振動を防振ゴムによって減衰させるようにした構造が提案されている。
【０００８】
【特許文献１】特開２０００−４５４４１号公報
【発明の開示】
【発明が解決しようとする課題】
【０００９】
しかしながら、上記特許文献１に開示されている構造では、床パネルの床下地材が止め具によって床梁に固定されて、床パネルと床梁とが一体化した状態となっているので、防振ゴムを介在させてはいるものの、床パネルから床梁への振動伝搬を十分に低減するには至らず、特に遮音性能の低いあらわし梁を使用した床構造に適用した場合、依然として下階空間における床衝撃音が問題になることがある。なお、床パネルと床梁とを一体化させないようにすると、床梁のみによって水平力を負担することになり、床剛性が低下してしまう。
【００１０】
また、施工に際しては、床パネルを床梁間に落とし込んで設置した後、さらに止め具によって床パネルの床下地材を床梁に固定するといった作業が必要となり、施工性が悪いといった不具合もある。
【００１１】
この発明は、上記の不具合を解消するため、あらわし梁を使用した床構造において、床レベルの上昇や床剛性の低下を招くことなく遮音性能を効果的に高め、また施工性の向上も図ることを目的とする。
【課題を解決するための手段】
【００１２】
上記課題を解決するため、この発明の建物の遮音床構造は、互いに略平行に配設されて下階空間３０に張り出した複数のあらわし梁１・・の側面６・・間に、複数の根太４・・を落とし込むように差し渡して、それら根太４・・上に床下地材３・・を取り付けてなる床構造において、前記あらわし梁１・・の側面６・・に前記根太４・・の端部を支持する支持部材１０・・を設けて、その支持部材１０・・と前記根太４・・の端部との間に防振材５・・を介在させるとともに、前記根太４・・及び床下地材３・・を、前記あらわし梁１・・に対して振動遮断用の隙間２０・・をあけて非接触状態としたことを特徴とする。
【００１３】
具体的に、前記支持部材１０は、前記根太４の端部を載せる受け片１１と、その受け片１１から立ち上がって、前記根太４の端部を左右両側から挟み込んで水平方向への動きを拘束する一対の拘束片１２、１２とを備え、前記受け片１１と前記根太４の端部下面との間に防振材５を介在させている。
【００１４】
また、前記根太４・・と前記床下地材３とを予め一体化してなる床パネル２を用いて、その床パネル２の根太４・・を、前記あらわし梁１・・の側面６・・間に落とし込むように差し渡している。さらに、この床パネル２における根太４・・の端部下面に、前記防振材５を予め一体に取り付けるようにしている。
【００１５】
さらにまた、前記あらわし梁１・・の側面６・・間に、前記支持部材１０・・よりも下方において天井板２４を差し渡している。
【発明の効果】
【００１６】
この発明の遮音床構造においては、あらわし梁に対して根太及び床下地材を一体化させることなく縁切りして、根太の端部と支持部材との間の防振材を介してのみ振動が伝搬するように構成されているので、根太及び床下地材側からあらわし梁側への振動の伝搬をできるだけ抑えて、下階空間へ放射される床衝撃音を大幅に低減することができる。
【００１７】
しかも、複数のあらわし梁の側面に設けた支持部材間に、根太を落とし込むように差し渡しているので、床上に二重床を設けるときのような床レベルの上昇を招くこともない。
【００１８】
また、根太の端部は、支持部材における一対の拘束片によって水平方向への動きが拘束されているので、あらわし梁に対して根太及び床下地材を一体化させることなく縁切りしているにもかかわらず、あらわし梁にかかる水平力を拘束片を介して根太や床下地材によっても負担することができ、耐力を良好に維持することができる。
【００１９】
さらに、根太と床下地材とを予め一体化し、さらには防振材をも一体化してなる床パネルを用いることで、この床パネルをあらわし梁の側面間に落とし込んで、その根太の端部を支持部材によって支持させるだけで、従来のような止め具による床パネルの固定作業を不要として、床パネルを簡単に取り付けることができ、施工性の向上を図ることができる。
【発明を実施するための最良の形態】
【００２０】
以下、この発明の実施形態を図面に基づいて詳細に説明する。図１乃至図４は、この発明の一実施形態に係る遮音床構造を示している。図において、１・・は、例えば木造住宅における上階の床に施工するあらわし梁を示している。これらあらわし梁１・・は、例えば木製の角材からなり、その幅が約１２０ｍｍ、高さが約３３０ｍｍとされていて、約５００ｍｍの間隔をあけて互いに略平行に配置されている。
【００２１】
２は、あらわし梁１・・に設置する床パネルである。この床パネル２は、図５に示すように、床下地材３、根太４・・及び防振材５・・からなり、これらを工場等において予め一体化することによって構成されている。床下地材３は、例えば略方形状の構造用合板からなる。根太４は、例えば木製の角材からなり、その幅が約４５ｍｍ、高さが約１２０ｍｍとされ、その長さはあらわし梁１・・の配置間隔すなわち５００ｍｍよりもやや短くなっている。防振材５は、例えば板状の防振ゴムからなる。
【００２２】
そして、床下地材３の下面には、２列の根太４・・群があらわし梁１の幅よりもやや大きな隙間をあけて取り付けられている。各根太４・・群は、複数の根太４・・を約５００ｍｍの間隔をあけて互いに略平行に配置してなる。このようにして床下地材３の下面に取り付けられた根太４・・の両端部下面には、防振材５・・が夫々取り付けられている。
【００２３】
そして、各あらわし梁１の長手方向に沿った両側面６、６の上部には、床パネル２の根太４・・の端部を防振支持するための支持部材１０・・が、約５００ｍｍの間隔をあけて取り付けられている。なお、隣接するあらわし梁１・・の互いに対向する側面６、６に取り付けられた支持部材１０・・同士は、互いに対向配置されている。
【００２４】
支持部材１０は、図６に示すように、一枚の金属板を折曲してなるもので、水平方向に配された受け片１１と、その受け片１１の両端部から立ち上がった一対の拘束片１２、１２と、それら拘束片１２、１２の上下方向に沿った一端部から拘束片１２、１２に対して直交する方向に夫々延出した一対の固定片１３、１３とを備えている。この支持部材１０は、固定片１３、１３をビス等の固定具によってあらわし梁１の側面６に固定することで、あらわし梁１の側面６に取り付けられている。
【００２５】
そして、あらわし梁１・・に対する床パネル２の設置は、以下のようにしてなされている。すなわち、床パネル２の根太４・・を、隣接するあらわし梁１・・の側面６、６間に落とし込んで、それら根太４・・の両端部を、各支持部材１０における受け片１１と拘束片１２、１２とによって囲まれた上方開放のコ字形枠部１５へ上方から夫々挿入している。なお、拘束片１２、１２の上端部は、互いに離間する方向に拡開しており、根太４・・の挿入を容易にしている。
【００２６】
このとき、図４に示すように、根太４・・の各端部は、支持部材１０の受け片１１に防振材５を介して載せられ、さらに拘束片１２、１２によって左右両側から挟み込まれる。これによって、根太４・・の各端部が支持部材１０・・によって防振支持され、また根太４・・の水平方向すなわちあらわし梁１の長手方向に沿った方向への動きが拘束される。
【００２７】
この床パネル２の設置状態において、隣接するあらわし梁１・・の側面６、６間に根太４・・が差し渡されて、床下地材３があらわし梁１・・の上方を覆うように配置される。そして、床パネル２の根太４・・及び床下地材３が、図３及び図４に示すように、あらわし梁１・・に対して振動遮断用の隙間２０・・をあけて非接触状態となっている。すなわち、根太４・・の端部とあらわし梁１・・の側面６・・との間、及び、床下地材３の下面とあらわし梁１・・の上面との間に、振動遮断用の隙間２０・・が形成されていて、床パネル２は、あらわし梁１・・に対してビス止め等によって一体化されることなく、縁切りされた状態となっている。
【００２８】
なお、あらわし梁１・・に対しては、複数の床パネル２・・が上記のようにして順次設置され、それら床パネル２・・の床下地材３・・上にはフローリング材２１が敷設される。
【００２９】
このようにして設置される床パネル２・・の下方には、隣接するあらわし梁１、１の側面６、６間に、コ字形の保持枠２２、２２を介して複数の鋼製野縁２３・・が差し渡され、それら鋼製野縁２３・・の下面間に石膏ボード等からなる天井板２４・・が取り付けられている。そして、床パネル２・・と天井板２４・・との間には、断熱材２５が充填されている。
【００３０】
各天井板２４は、隣接するあらわし梁１、１の側面６、６間に差し渡されているので、各あらわし梁１の下部は、天井板２４よりも下方へ突出して、下階空間３０に張り出している。
【００３１】
上記構成において、床パネル２・・に対して子供が飛び跳ねたときのような衝撃力が加わると、その衝撃力によって床パネル２・・が振動する。このとき、床パネル２・・における床下地材３・・及び根太４・・が、あらわし梁１・・に対して縁切りされた状態となっていて、床パネル２・・の振動は、根太４・・と支持部材１０・・との間の防振材５・・を介してのみあらわし梁１・・へ伝搬する。
【００３２】
従って、床パネル２・・の振動は、効果的に減衰されながら、あらわし梁１・・へ伝搬することになって、それらあらわし梁１・・や天井板２４から下階空間３０へ放射される床衝撃音を大幅に低減することができる。
【００３３】
また、あらわし梁１・・に対して床パネル２・・を縁切りして一体化させていいない場合、水平力に対しての耐力が弱くなるが、各支持部材１０の拘束片１２、１２によって根太４・・の各端部を挟み込んで、根太４・・の水平方向の動きを拘束しているので、あらわし梁１・・にかかる水平力を拘束片１２・・を介して床パネル２・・によっても負担することができ、耐力を良好に維持することができる。
【００３４】
この発明は、上記実施形態に限定されるものではなく、この発明の範囲内で上記実施形態に多くの修正及び変更を加え得ることは勿論である。例えば、上記実施形態においては、床下地材３、根太４・・及び防振材５・・を予め一体して床パネル２を構成しているが、これらを現場で別々に施工するようにしても良い。また、防振材５・・については、予め支持部材１０に取り付けるようにしても良い。
【図面の簡単な説明】
【００３５】
【図１】この発明の一実施形態に係る遮音床構造の分解斜視図である。
【図２】同じくその縦断面図である。
【図３】図２の部分拡大図である。
【図４】遮音床構造の縦断面図である。
【図５】床パネルの分解斜視図である。
【図６】支持部材の斜視図である。
【符号の説明】
【００３６】
１・・あらわし梁、２・・床パネル、３・・床下地材、４・・根太、５・・防振材、６・・あらわし梁の側面、１０・・支持部材、１１・・受け片、１２・・拘束片、２０・・振動遮断用の隙間、２４・・天井板、３０・・下階空間
【図１】
2007186850.tif 000003
【図２】
2007186850.tif 000004
【図３】
2007186850.tif 000005
【図４】
2007186850.tif 000006
【図５】
2007186850.tif 000007
【図６】
2007186850.tif 000008